(57)【要約】【課題】  ユーザが購入しようとする商品の値段および販売店を容易に知ることができる機能を備えた「車載用電子装置およびその装置における商品の値段通知方法」を提供する。【解決手段】  ナビゲーション装置は、商品および当該商品についての希望購入価格を入力する入力手段と、少なくとも商品、商品の販売価格および販売店に関するデータを蓄積したデータベースから前記入力された商品に該当し、かつ希望購入価格よりも安い販売価格を提示している販売店を検索する検索手段と、検索手段によって検索された販売店までの経路を探索する経路探索手段と、前記検索手段によって検索された販売店および前記経路探索手段によって探索された経路を表示する表示手段とを有するものである。【選択図】      図４
2005321363.tif 000002
【特許請求の範囲】
【請求項１】
目的地までの経路を誘導するナビゲーション機能を備えた車載用電子装置であって、
商品および当該商品についての希望購入価格を入力する入力手段と、
少なくとも商品、商品の販売価格および販売店に関するデータを蓄積したデータベースから前記入力された商品に該当し、かつ希望購入価格よりも安い販売価格を提示している販売店を検索する検索手段と、
検索手段によって検索された販売店までの経路を探索する経路探索手段と、
前記経路探索手段によって探索された販売店までの経路を表示する表示手段と、
を有する車載用電子装置。
【請求項２】
車載用電子装置はさらに、自車位置を検出する自車位置検出手段を有し、前記検索手段は、自車位置検出手段によって検出された自車位置から所定の距離内の販売店を検索する、請求項１に記載の車載用電子装置。
【請求項３】
車載用電子装置はさらに、ユーザが所望の販売店を登録する登録手段を有し、前記検索手段は、登録手段によって登録された販売店を対象に検索をする、請求項１に記載の車載用電子装置。
【請求項４】
車載用電子装置はさらに、データベースがタイムサービスに関する情報を含んでいるとき、前記検索手段により該当する商品のタイムサービスに関する情報を取得させ、かつ前記経路探索手段に自車位置から販売店までの予定到着時刻を算出させ、予定到着時刻が販売店のタイムサービスの時間内であるか否かを判別する判別手段を有し、前記表示手段は、前記判別手段の判別結果を表示する、請求項１ないし３いずれか１つに記載の車載用電子装置。
【請求項５】
データベースが販売数量に関する情報を含んでいるとき、前記検索手段は、該当する商品についての販売数量に関する情報を取得し、前記表示手段は販売数量に関する情報を表示する、請求項１ないし４いずれか１つに記載の車載用電子装置。
【請求項６】
データベースは、ネットワークに接続されたサーバに蓄積され、車載用電子装置は、サーバにアクセスするための通信手段を有する、請求項１ないし５いずれか１つに記載の車載用電子装置。
【請求項７】
商品および当該商品についての希望購入価格を入力するステップと、
商品、商品の販売価格および販売店に関するデータを蓄積したデータベースから前記入力された商品に該当し、かつ希望購入価格よりも安い販売価格を提示している販売店を検索するステップと、
検索された販売店までの経路を探索するステップと、
探索された経路を提示するステップと、
を有する車載用電子装置における商品の値段通知方法。
【発明の詳細な説明】
【技術分野】
【０００１】
本発明は、目的地までの経路を探索したり、車両位置周辺の地図を表示するナビゲーション機能を備えた車載用電子装置に関し、特に、特定商品についての値段の通知方法に関する。
【背景技術】
【０００２】
ナビゲーション装置は、自車の現在位置を検出し、地図データベースから自車位置周辺の地図データを読み出し、ディスプレイに地図を描画するとともに該地図上に車両マークを重ねて表示する。車両の移動により現在位置が変化すると、地図がスクロールし、それに併せて車両マークが移動する。
【０００３】
ナビゲーション装置には、ガソリンスタンド、飲食店、スーパー、コンビニエンスストア、温泉宿、宿泊施設など関する種々の情報が、ジャンル別、地域別等に分類されデータベース化されている。ユーザは、目的地や立ち寄り地を設定するとき、あるいは、見知らぬ土地の施設や店を検索するとき、これらのデータベースを活用している。
【０００４】
特許文献１は、ユーザの利便性をさらに考慮したもので、走行ルート上のガソリンスタンドの位置、価格、営業時間等の情報をサーバから取得し、次のガソリンスタンドが最安値か、あるいは次のガソリンスタンドからの満タン持続距離内に最安値のガソリンスタンドが存在するか等を判断し、ユーザに最適な給油手法を通知する給油指示装置を提供している。
【０００５】
【特許文献１】特開２００３−２９４４５８号
【発明の開示】
【発明が解決しようとする課題】
【０００６】
従来のナビゲーション装置には次のような課題がある。例えば、ユーザが、所望の商品を購入しようとするとき、上記したデータベースを利用することで、ジャンル、店名、住所などから販売店を検索することができる。しかし、販売店の位置は分かったとしても、そこで販売している商品の値段までは分からない。特に、安売り情報または特売情報までは知ることができない。事前に安売り情報を知るためには、新聞等の折込広告をチェックするのが一般的であるが、その確認作業は煩雑であり、しかも時間がかかる。特に、出勤前などの時間に余裕がないときはなおのことである。また、広告等のチェックをしたとしても、車で移動しているときに忘れてしまう可能性もある。
【０００７】
本発明は、上記従来の課題を解決するために成されたものであり、ユーザが購入しようとする商品の値段およびその販売店を容易に知ることができる機能を備えた車載用電子装置およびその装置における商品の値段通知方法を提供する。
【課題を解決するための手段】
【０００８】
本発明に係るナビゲーション機能を備えた車載用電子装置は、商品および当該商品についての希望購入価格を入力する入力手段と、少なくとも商品、商品の販売価格および販売店に関するデータを蓄積したデータベースから前記入力された商品に該当し、かつ希望購入価格よりも安い販売価格を提示している販売店を検索する検索手段と、検索手段によって検索された販売店までの経路を探索する経路探索手段と、経路探索手段によって探索された販売店までの経路を表示する表示手段とを有するものである。
【発明の効果】
【０００９】
本発明に係る車載用電子装置によれば、商品および当該商品の希望購入価格を入力し、その希望購入価格よりも安い商品を販売している販売店を検索するようにしたので、従来のように、広告等をチェックすることなく、効率良く、短時間で簡単に販売店を知ることができ、かつ、販売店までの経路も迅速に知ることができる。これにより、ユーザにとって利便性の高い車載用電子装置を提供することができる。
【発明を実施するための最良の形態】
【００１０】
本発明に係る車載用電子装置は、商品に関するデータベースを蓄積したサーバに対して車載用ナビゲーション装置からアクセスすることで、商品に関する必要情報を取得することを可能とするナビゲーションシステムにおいて実施される。以下、図面を参照して詳細に説明する。
【実施例】
【００１１】
図１は、本実施例に係る車載用ナビゲーションシステムの概要を示す図である。ナビゲーションシステム１は、商品、商品の販売価格、販売店などの情報をデータベース化して保存するサーバ１００と、サーバ１００へアクセスし、必要な商品に関する情報の配信を要求する機能を備えたナビゲーション装置２００とを備えている。
【００１２】
サーバ１００は、複数の販売店ａ〜ｎから、販売店が現在もしくはこれから販売する商品、商品の販売価格、販売数量等の情報を取得する。取得した情報は、例えば図２（ａ）に示すように、商品ａ〜ｎについての販売店ａ〜ｎの販売価格の対応関係を示した商品データベースとして登録される。サーバ１００は、一定期間毎に販売店から情報を受け取り、商品データベースの内容を更新する。
【００１３】
また、商品データベースの構造は、商品の属性を示す属性データを用いて階層的にしてもよい。例えば、図２（ｂ）に示すように、商品がどのような分野に属するのか、商品を製造しているメーカーはどこか、という属性を付与する。さらに商品データベースは、商品の販売数量や、安売りまたは特売の日時（以下、タイムサービスという）に関する情報も含めることができる。
【００１４】
図３は、ナビゲーション装置２００の内部構成を示すブロック図である。ＧＰＳ受信機１０は、人工衛星（ＧＰＳ衛星）からの電波を受信し車両の現在位置と現在方位を測定する。自立航法用センサ１２は、車両の移動距離を検出する車速センサや車両の回転角度を検出する。ＶＩＣＳ・ＦＭ多重レシーバ１６は、アンテナ１４を介して車両外部の現在の道路交通情報を逐次受信する。操作パネル２０、音声入力部２２およびリモコン操作部２４は、ナビゲーション装置２００の入力を構成する。操作パネル２０は、例えば、ディスプレイ５２のタッチパネルを含む。
【００１５】
記憶装置３０は、好ましくは大容量のハードディスクドライブ（ＨＤＤ）から構成される。ハードディスクは、地図データ、住所、電話、施設等のデータ、およびナビゲーションの各種の機能を実行するためのプログラムを記憶することができる。また、販売店に関する情報として、販売店の営業時間、位置、駐車場の有無などの情報も含む。
【００１６】
データ通信制御部３２は、無線または有線によりデータ通信を可能とする。通信機能は、ナビゲーション装置に内蔵されていても良いし、携帯電話などの通信端末を外部接続するものであってもよい。ナビゲーション装置は、データ通信制御部３２を介してインターネットなどのネットワークやＬＡＮを介してサーバ１００に接続される。
【００１７】
音声出力部４０はスピーカ４２を含み、例えば、経路誘導時に交差点案内などの音声を出力する。表示制御部５０は、ディスプレイ５２に接続され、記憶装置３０またはデータメモリ７０から読み出された地図データをディスプレイ５２に表示する。また、地図上に車両の現在位置を示す車両マーク、目的地までのルート、交差点の案内表示あるいは施設のランドマーク等を合成して表示させる。さらに本実施例では、商品の値段通知機能が実行されるとき、該当する販売店のランドマークや販売店までの経路等が表示される。
【００１８】
プログラムメモリ６０は、ナビゲーション装置において実行される各種プログラムを記憶し、制御部８０はこれらのプログラムに従い動作する。プログラムメモリ６０は、それ自身に予めプログラムを記憶しても良いし、記憶装置３０からプログラムをロードしてもよい。プログラムメモリ６０は、例えば、目的地までの経路を探索するプログラム６２、ディスプレイ５２に表示される地図等の各種の設定・変更を行うプログラム６４を含み、さらに、本実施例における商品の値段通知機能を実行するためのプログラム６６等を記憶する。
【００１９】
データメモリ７０は、制御部８０によって処理された各種演算の処理結果や記憶装置３０から読み出された地図データ７２、目的地までの誘導経路データ７４、車両が実際に走行した走行軌跡データ７６を記憶する。さらに、商品の値段通知機能が実行されたとき、該当する商品、商品の販売価格、販売点に関する情報７８が一時記憶される。データメモリ７０は、ＤＲＡＭ、ＳＲＡＭ、フラッシュメモリ等を用いることができ、データメモリ７０の内容を記憶装置３０に転送するようにしてもよい。また、ナビゲーション装置１に装着可能な外部メモリをデータメモリ７０と併用してもよい。
【００２０】
次に、本実施例に係るナビゲーションシステムにおいて商品の値段通知を実行するときの動作を図４のフローチャートを参照して説明する。ここでは、好ましい利用シーンとして、会社から自宅へ帰宅するときの動作例を説明する。
【００２１】
車両のイグニッションスイッチがオンされたとき、制御部８０は、自車位置が予め登録されている自宅か否かを判定する（ステップＳ１０１）。自車位置が自宅である場合には、商品の値段通知機能を実行することなく、通常のナビゲーションの起動が行われる（ステップＳ１０２）。自車位置が自宅以外であるとき、制御部８０は、商品の値段通知機能を実行するプログラム６６を起動する（ステップＳ１０３）。
【００２２】
制御部８０は、ディスプレイ５２に、購入すべき商品があるか否かをユーザに質問する入力画面を表示する（ステップＳ１０４）。入力画面は、図５に示すように、購入すべき商品を、分野２１０、メーカー２２０、商品名２３０において特定することができる。この場合、ユーザは、操作パネル２０等から直接文字の入力を行ってもよいし、予め登録されたリストから選択するようにしてもよい。後者の場合、登録されたリストが表示されるようにボタン２４０をクリックするようにしてもよい。さらに、ユーザは、希望する商品についての希望購入価格２５０をボックスに入力する。一方、商品の購入希望がないときは、キャンセルボタン２６０をクリックする（ステップＳ１０５）。
【００２３】
制御部８０は、ユーザから商品およびその希望購入価格の入力があったとき、通信制御部３２を介してサーバ１００にアクセスする（ステップＳ１０６）。制御部８０は、ユーザが入力した商品に該当する商品が商品データベースに含まれているか否かを検索する(ステップＳ１０７)。例えば、ユーザが分野ｂ、メーカーｂ、商品ａを入力したとき、制御部８０は、図２（ｂ）に示す商品データベースの階層構造から、分野ｂ、メーカーｂの絞込みを行い、さらにメーカーｂに含まれる商品の中に商品ａが含まれているか否かを判別する。
【００２４】
該当する商品が含まれている場合、さらに、ユーザから入力された希望購入価格と、商品データベースに登録されている販売価格とを比較する（ステップＳ１０８）。上記例であれば、商品ａについての販売店ａ〜ｎの販売価格と、希望購入価格とを比較する。希望購入価格よりも安い販売価格を提示する販売店が見つかったとき、制御部８０は、その販売店と販売価格をディスプレイ５２に表示させる（ステップＳ１０９）。例えば、ユーザが商品ａについて、希望購入価格を２５５円で入力した場合には、該当する販売店ａおよびｂが検索される。
【００２５】
制御部８０はまた、販売店までを目的地または立ち寄り地としてルート探索するか否かを選択する画面を表示させる。複数の販売店が検索されたときは、すべての販売店を表示し、その中から所望の販売店についてルート探索を選択する画面を表示させる。
【００２６】
ユーザから所望の販売店についてのルート探索の入力があったとき（ステップＳ１１０）、制御部８０は、販売店までのルートを探索し、探索したルートを表示して経路案内を行う（ステップＳ１１１）。
【００２７】
一方、ユーザから商品の入力がないとき（ステップＳ１０５）、通常のナビゲーション動作に戻る（ステップＳ１０２）。また、ユーザが入力した商品に該当する商品がないとき、希望購入価格よりも安い販売価格を提示する販売店が存在しないとき、およびルート探索を行わないとき、制御部８０は、他の商品、または他の希望購入価格で再検索をするか否かの入力画面をディスプレイ５１に表示させる（ステップＳ１１２）。入力画面は、図５に示すものであってもよい。ユーザから再検索する旨の入力があったときは、再びステップＳ１０４からの処理が繰り返され、再検索する旨の入力がないときは、商品の値段通知機能が終了され、通常のナビゲーション動作に戻る。
【００２８】
本実施例によれば、このような商品の値段通知機能を実行することで、ユーザは、広告などの商品の値段をわざわざチェックすることなく、どの販売店で希望する販売価格の商品が販売されているかを知ることができ、かつ、販売店までの誘導経路を知ることができる。
【００２９】
上記実施例において、記憶装置３０に販売店の営業時間や提携する駐車場の情報が記憶されている場合には、ルート表示と併せてこれらを表示するようにしてもよい。また、商品データベースに、商品の販売数量（先着何個や限定何個）などの情報が登録されているときは、販売価格とともに販売数量も併せて表示するようにしてもよい。
【００３０】
次に、本発明の第２の実施例について説明する。第２の実施例では、図６に示すような登録画面において、ユーザが検索対象とする好みのメーカーや販売店を登録しておく。例えば、好みのメーカーとして、メーカーｂ、ｄ、ｅ、ｈを登録し、好みの販売店として、販売店ａ、ｂ、ｄ、ｋを登録している。これらを登録した場合、ユーザは、図５に示す入力画面において、商品名と希望購入価格のみを入力するだけでよい。
【００３１】
制御部８０は、サーバ１００の商品データベースから、図６で登録されたメーカーおよび販売店と一致するメーカーおよび販売店の中から、商品の検索を行うようにする。これにより、ユーザは、自分の好みのメーカーや販売店のみを対象に、商品の値段の検索を行うことができる。
【００３２】
次に、本発明の第３の実施例について説明する。第３の実施例では、図７に示すような登録画面において、ユーザが検索対象とする販売店の範囲(距離)を登録しておく。例えば、イグニッションスイッチをオンしたときの自車位置が自宅である場合、自宅を中心に半径２ｋｍ以内の販売店を検索する。あるいは、自車位置が登録地点Ａにあるときは、登録地点Ａを中心に半径３ｋｍ以内の販売店を検索する。登録地点および距離は、ユーザが任意に設定可能であるが、例えばユーザが過去に目的地や立ち寄り地として登録した地点や、頻繁に行く地点（例えば、勤務している会社など）を優先的に登録してもよい。
【００３３】
制御部８０は、車両のイグニッションスイッチがオンされたときの自車位置が、図７の登録地点に該当するか否かを判別する。そして、ユーザから入力された商品が、商品データベースにおいて見つかった場合、制御部８０は、それらの販売店が登録地点から一定の距離内にあるか否かをチェックし、該当する販売店を表示させる。これにより、ユーザは自分の希望する距離内にある販売店を対象に商品の値段の検索をすることができる。
【００３４】
次に、本発明の第４の実施例について説明する。第４の実施例では、商品の特売または安売りのタイムサービスについての情報が商品データベースに含まれている場合、タイムサービスに間に合うか否かを判定する。
【００３５】
図８は、ユーザが入力した商品および希望購入価格に該当する商品が見つかった場合の動作フローである。制御部８０は、該当する商品が見つかったとき（ステップＳ２０１）、その商品に関するタイムサービス情報があるか否かをチェックする（ステップＳ２０２）。タイムサービス情報がないときは、第１の実施例（図４参照）と同様の処理が行われ（ステップＳ２０３）、タイムサービス情報があるときは、それをサーバ１００から取得する（ステップＳ２０４）。
【００３６】
次に、自車位置から該当する販売店までの最適ルートを探索し（ステップＳ２０５）、そこから販売店までの予定到着時刻を算出する（ステップＳ２０６）。一般道であれば、道路種別（国道など）に応じた制限速度を用いて時刻を算出する。そして、タイムサービスを行う時間帯と予定到着時刻とを比較し（ステップＳ２０７）、タイムサービスに間に合う場合と間に合わない場合とで、両者を区別して表示する（ステップＳ２０８、Ｓ２０９）。例えば、図９に示すように、該当する販売店ｂ、販売店ｆが見つかったとき、それぞれの販売価格、タイムサービスの時間帯、予定到着時刻、およびタイムサービスに間に合うか否かの判別（図では○、×で表示）を表示する。また、タイムサービスに間に合うと判別された販売店ｆまでのルート案内を行うか否かの選択ボタン２７０が一緒に表示される。あるいは、販売店ｂか販売店ｆのいずれかを選択してルート案内を指示する入力ボタンであってもよい。これにより、ユーザは、タイムサービスに間に合う販売店を容易に知ることができる。
【００３７】
以上、本発明の好ましい実施の形態について詳述したが、本発明は係る特定の実施形態に限定されるものではなく、特許請求の範囲に記載された本発明の要旨の範囲内において、種々の変形・変更が可能である。上記実施例で説明した商品は、特に限定的に解釈されるべきものではく、広く商取引の対象となり得るものである。同様に、販売店についても特に限定的に解釈されるべきものではなく、販売の形態や手法を問うものではない。さらに、上記実施例では、商品データベースを一元管理するサーバを例示したが、これに限らず、ナビゲーション装置が複数の販売店から商品に関する情報を取得するようにしてもよい。
【産業上の利用可能性】
【００３８】
本発明に係るナビゲーション機能を備えた車載用電子装置は、ナビゲーション装置、ナビゲーションシステム、あるいはこれらの機能を含むコンピュータ等の電子装置において利用することができる。また、電子装置は、ナビゲーション機能に加えてオーディオ機能やＴＶ放送受信機能等を有するマルチメディア対応の電子装置またはそのような機能を備えた複数の電子機器から構成される電子システムにおいて利用することができる。
【図面の簡単な説明】
【００３９】
【図１】本発明の実施例に係るナビゲーションシステムの構成を示す図である。
【図２】サーバに登録される商品データベースの構成を説明する図である。
【図３】ナビゲーション装置の構成を示すブロック図である。
【図４】本実施例のナビゲーションシステムにおける商品の値段通知機能の動作を説明するフローチャートである。
【図５】商品および希望購入価格の入力画面を示す図である。
【図６】第２の実施例における検索対象となるメーカーおよび販売店の登録例を示す図である。
【図７】第３の実施例における検索対象となる距離の登録例を示す図である。
【図８】第４の実施例の動作を説明するフローチャートである。
【図９】第４の実施例におけるディスプレイへの表示例である。
【符号の説明】
【００４０】
１：ナビゲーションシステム            １０：ＧＰＳ受信機
２０：操作パネル                      ３０：記憶装置
３１：通信制御部                      ４０：音声出力部
５０：表示制御部                      ５２：ディスプレイ
６０：プログラムメモリ                ７０：データメモリ
１００：サーバ                      ２００：ナビゲーション装置
【図１】
2005321363.tif 000003
【図２】
2005321363.tif 000004
【図３】
2005321363.tif 000005
【図４】
2005321363.tif 000006
【図５】
2005321363.tif 000007
【図６】
2005321363.tif 000008
【図７】
2005321363.tif 000009
【図８】
2005321363.tif 000010
【図９】
2005321363.tif 000011